【手続補正書】
【提出日】平成20年7月9日(2008.7.9)
【手続補正１】
【補正対象書類名】明細書
【補正対象項目名】特許請求の範囲
【補正方法】変更
【補正の内容】
【特許請求の範囲】
【請求項１】
通信システムにおいてハンドオフを実行する方法において、
パイロット信号およびリバースリンク電力制御コマンドを１つ以上の基地局から加入者局によって受信することと、
１つ以上の基地局から受信されたパイロット信号のエネルギに少なくとも部分的に基づいて、加入者局へのフォワードリンクデータの送信のための第１の基地局を選択することと、
第１の基地局から受信されたリバースリンク電力制御コマンドの履歴に部分的に基づいて、加入者局により送信された信号が十分なエネルギで第１の基地局により受信されている場合に、第１の基地局に対するハンドオフを実行することとを含む方法。
【請求項２】
１つ以上の基地局から受信されたリバースリンク電力制御コマンドに対応する情報を記憶することをさらに含む請求項１記載の方法。
【請求項３】
第１の基地局に対するハンドオフを実行することが必要であるかどうかを決定することと、
ハンドオフを実行することが必要である場合で、加入者局により送信された信号が十分なエネルギで第１の基地局により受信された場合に、第１の基地局に対するハンドオフを許可することとをさらに含む請求項１記載の方法。
【請求項４】
加入者局により送信された信号が十分なエネルギで第１の基地局により受信されなかった場合に、第１の基地局に対するハンドオフを禁止することをさらに含む請求項３記載の方法。
【請求項５】
禁止することは、加入者局へのフォワードリンクデータの送信のための代替基地局を選択することを含む請求項４記載の方法。
【請求項６】
ハンドオフを実行することが必要でない場合に、加入者局へのフォワードリンクデータの送信に現在使用されている基地局が、加入者局からの信号を十分なエネルギで受信するかどうかを決定することと、
現在使用されている基地局が加入者局からの信号を十分なエネルギで受信しなかった場合に、代替基地局に対するハンドオフを実行することをさらに含む請求項３記載の方法。
【請求項７】
代替基地局に対するハンドオフを実行することは、加入者局により送信された信号が十分なエネルギで代替基地局により受信されたことを示す、代替基地局から受信されたリバースリンク電力制御コマンドに基づいて代替基地局を選択することを含む請求項６記載の方法。
【請求項８】
第１の基地局に対するハンドオフを許可することは、第１の基地局の識別子を示すメッセージを加入者局により送信することを含む請求項３記載の方法。
【請求項９】
メッセージは、加入者局に送信するように要求されたレートをさらに示す請求項８記載の方法。
【請求項１０】
パイロット信号およびリバースリンク電力制御コマンドを１つ以上の基地局から受信する受信機と、
１つ以上の基地局から受信されたパイロット信号のエネルギに少なくとも部分的に基づいて、加入者局へのフォワードリンクデータの送信のための第１の基地局を選択し、第１の基地局から受信されたリバースリンク電力制御コマンドの履歴に部分的に基づいて、加入者局により送信された信号が十分なエネルギで第１の基地局により受信されている場合に、第１の基地局に対するハンドオフを実行するプロセッサとを具備する装置。
【請求項１１】
１つ以上の基地局から受信されたリバースリンク電力制御コマンドに対応する情報を記憶するメモリをさらに具備する請求項１０記載の装置。
【請求項１２】
プロセッサは、第１の基地局に対するハンドオフを実行することが必要であるかどうかを決定し、第１の基地局に対するハンドオフを実行することが必要である場合で、加入者局により送信された信号が十分なエネルギで第１の基地局により受信された場合に、第１の基地局に対するハンドオフを許可する請求項１１記載の装置。
【請求項１３】
加入者局により送信された信号が十分なエネルギで第１の基地局により受信されなかった場合に、プロセッサが第１の基地局に対するハンドオフを禁止する請求項１２記載の装置。
【請求項１４】
プロセッサは、加入者局へのフォワードリンクデータの送信のための代替基地局を選択する請求項１３記載の装置。
【請求項１５】
プロセッサは、
第１の基地局に対するハンドオフを実行することが必要でない場合に、加入者局へのフォワードリンクデータの送信に現在使用されている基地局が加入者局からの信号を十分なエネルギで受信するかどうかを決定し、
現在使用されている基地局が加入者局からの信号を十分なエネルギで受信しなかった場合に、代替基地局に対するハンドオフを実行する請求項１２記載の装置。
【請求項１６】
プロセッサは、加入者局により送信された信号が十分なエネルギで代替基地局により受信されたことを示す、代替基地局から受信されたリバースリンク電力制御コマンドに基づいて代替基地局を選択する請求項１５記載の装置。
【請求項１７】
プロセッサは、第１の基地局の識別子を示すメッセージを送信する請求項１２記載の装置。
【請求項１８】
メッセージは、加入者局に送信するように要求されたレートをさらに示す請求項１７記載の装置。
【請求項１９】
通信システムにおいてハンドオフを実行する装置において、
加入者局において、パイロット信号およびリバースリンク電力制御コマンドを１つ以上の基地局から受信する手段と、
１つ以上の基地局から受信されたパイロット信号のエネルギに少なくとも部分的に基づいて、加入者局へのフォワードリンクデータの送信のための第１の基地局を選択する手段と、
第１の基地局から受信されたリバースリンク電力制御コマンドの履歴に部分的に基づいて、加入者局により送信された信号が十分なエネルギで第１の基地局により受信されている場合に、第１の基地局に対するハンドオフを実行する手段とを具備する装置。
【請求項２０】
１つ以上の基地局から受信されたリバースリンク電力制御コマンドに対応する情報を記憶する手段をさらに具備する請求項１９記載の装置。
【請求項２１】
第１の基地局に対するハンドオフを実行することが必要であるかどうかを決定する手段と、
ハンドオフを実行することが必要である場合で、加入者局により送信された信号が第１の基地局により十分なエネルギで受信された場合に、第１の基地局に対するハンドオフを許可する手段とをさらに具備する請求項１９記載の装置。
【請求項２２】
加入者局により送信された信号が十分なエネルギで第１の基地局により受信されなかった場合に、第１の基地局に対するハンドオフを禁止する手段をさらに具備する請求項２１記載の装置。
【請求項２３】
第１の基地局に対するハンドオフを実行することが必要でない場合に、加入者局へのフォワードリンクデータの送信に現在使用されている基地局が、加入者局からの信号を十分なエネルギで受信するかどうかを決定する手段と、
現在使用されている基地局が加入者局からの信号を十分なエネルギで受信しなかった場合に、代替基地局に対するハンドオフを実行する手段とをさらに具備する請求項２１記載の装置。
【請求項２４】
第１の基地局に対するハンドオフを許可する手段は、第１の基地局の識別子を示すメッセージを送信する手段を含む請求項２１記載の装置。
【請求項２５】
メッセージは、加入者局に送信するように要求されたレートをさらに示す請求項２４記載の装置。
【手続補正２】
【補正対象書類名】明細書
【補正対象項目名】００１２
【補正方法】変更
【補正の内容】
【００１２】
任意の所定ユーザが達したＣ／Ｉは、パス損失の関数であり、これは地上セルラシステムに関してｒ3からｒ5で増加し、ここでｒは放射源までの距離である。さらに、パス損失は電波パス内の人為または自然の妨害によってランダムな変化を受ける。これらのランダム変化は一般に８ｄＢの標準偏差を有するログノーマルシャドーイングランダムプロセスとしてモデル化される。全方向性基地局アンテナ、ｒ4伝播法則、および８ｄＢ標準偏差を有するシャドーイングプロセスを備えた理想的な六角形セルラ配置に対して達成されたＣ／Ｉ分布が結果的に生じた。
【手続補正３】
【補正対象書類名】明細書
【補正対象項目名】００１３
【補正方法】変更
【補正の内容】
【００１３】
獲得されたＣ／Ｉ分布は、各基地局との物理的な距離にかかわらず、いつでもどの場所でも、最大Ｃ／Ｉ値を達成しているとして定義される最良基地局により加入者局が取り扱われる場合にのみ、達成することが可能である。上述したパス損失がランダムな性質を持つため、最大Ｃ／Ｉを有する信号が加入者局に最も近い基地局によって必ずしも送信されるわけではない。逆に、加入者局が最短距離の基地局を介してのみ通信するものであった場合には、Ｃ／Ｉは大きく低下することがある。したがって、常時最良のサービイング基地局との間で通信し、これにより最適のＣ／Ｉ値を達成することが、加入者基地局にとって有益である。前記理想化されたモデルにおいて、達成されたＣ／Ｉの値が最高値と最低値との差が１０，０００と同じだけの大きさとなりうるような範囲にあると観察することができる。実際の実施では、その範囲は一般的に、約１：１００または２０ｄＢまでに制限される。以下のような関係を考えることができるので、したがって、ＣＤＭＡ基地局が１００倍と同程度に変化可能な情報ビットレートで加入者局を取り扱うことができる。
【数１】
2003513566.tif 000001
ここで、Ｒbは特定の加入者局に対する情報レートを示し、Ｗはスペクトル拡散信号により占められる総帯域幅を示し、Ｅb／Ｉoは所定レベルの性能に達するために必要な干渉密度に対する、ビットあたりのエネルギを示す。例えば、スペクトル拡散信号が１．２２８８ＭＨｚの帯域幅Ｗを占め、信頼性のある通信を行なうために３ｄＢに等しい平均Ｅb／Ｉoが必要とされる場合には、最良の基地局に対して３ｄＢのＣ／Ｉ値を達成する加入者局は１．２２８８Ｍｂｐｓもの高いデータレートで通信することが可能である。これとは異なり、加入者局が近接した基地局から大きな干渉を受け、−７ｄＢのＣ／Ｉに達することしかできない場合には、１２２．８８Ｋｐｂｓより大きいレートでは信頼性のある通信をサポートすることができない。したがって、平均スループットを最適化するよう設計された通信システムは、最良のサービイング基地局から、遠隔ユーザが確実にサポート可能な最高データレートＲbでそれぞれの遠隔ユーザを取扱いしようとする。
【手続補正４】
【補正対象書類名】明細書
【補正対象項目名】図面の簡単な説明
【補正方法】変更
【補正の内容】
【図面の簡単な説明】
【図１】
図１は、本発明の方法を図示しているフローチャートである。
【図２】
図２は、本発明のハンドオフ状態を図示している基本図である。
【図３】
図３は、本発明の基地局の例示的な実施形態のブロック図である。
【図４】
図４は、本発明の基地局の例示的な実施形態のブロック図である。
【図５】
図５は、本発明のフレーム構造の図である。
【図６】
図６は、本発明のスロット構造の図である。
【図７】
図７は、本発明の加入者局のブロック図である。